【手続補正書】
【提出日】平成24年11月13日(2012.11.13)
【手続補正１】
【補正対象書類名】特許請求の範囲
【補正対象項目名】全文
【補正方法】変更
【補正の内容】
【特許請求の範囲】
【請求項１】
ナイフを備える外科用ステープル留めデバイスであって、該ナイフが組織切断端部および表面を備え、該表面の一部がその上にコーティングを有し、該コーティングが、少なくとも１つのポリジアルキルシロキサンおよび第１の有機溶媒を含む第１の溶液、および少なくとも１つのシリコーン化物質および第２の有機溶媒を含むコーティング混合物から形成され、該ポリジアルキルシロキサンが該第１の溶液中に約１０ｇ／ｌ〜約７０ｇ／ｌの濃度で存在し、そして少なくとも約１０，０００ｃｐの該コーティング混合物の粘度を提供するに十分な分子量を有し、そして該シリコーン化物質が該第２の溶液中に約１０ｇ／ｌ〜約８０ｇ／ｌの濃度で存在する、外科用ステープル留めデバイス。
【請求項２】
前記シリコーン化物質が、アミノ官能基およびアルコキシ官能基を有するポリジメチルシロキサンを含み、そして前記溶媒が、約５〜約１０の炭素原子の炭化水素溶媒、ヒドロフルオロエーテル、およびアルコールのうちの少なくとも１つである、請求項１に記載の外科用ステープル留めデバイス。
【請求項３】
前記第１の溶液が、ポリジメチルシロキサンを含み、そして前記第１の溶媒が、約５〜約１０の炭素原子の炭化水素溶媒およびヒドロフルオロエーテルの少なくとも１つである、請求項１に記載の外科用ステープル留めデバイス。
【請求項４】
前記第１の溶液が、ポリジメチルシロキサンを含み、そして前記第１の溶媒が、ヘキサンおよびヘプタンからなる群から選択される、請求項１に記載の外科用ステープル留めデバイス。
【請求項５】
前記第２の溶液が、アミノアルキルシロキサンおよび該アミノアルキルシロキサンと共重合可能な少なくとも１つのその他のシロキサンを含み、そして前記第２の溶媒が、約５〜約１０の炭素原子の炭化水素溶媒、ヒドロフルオロエーテル、およびアルコールの少なくとも１つである、請求項１に記載の外科用ステープル留めデバイス。
【請求項６】
前記第２の溶液が、アミノ官能基およびアルコキシ官能基を有するポリジメチルシロキサンを含み、そして前記第２の溶媒が、約５〜約１０の炭素原子の炭化水素溶媒、ヒドロフルオロエーテル、およびアルコールの少なくとも１つである、請求項１に記載の外科用ステープル留めデバイス。
【請求項７】
前記第２の溶液が、アミノ官能基およびアルコキシ官能基を有するポリジメチルシロキサンを含み、そして前記第２の溶媒が、ヘキサン、ヘプタン、イソプロピルアルコールおよびそれらの混合物からなる群から選択される、請求項１に記載の外科用ステープル留めデバイス。
【請求項８】
前記コーティング混合物がさらに、ポリジメチルシロキサン、およびヘキサンおよびヘプタンからなる群から選択される炭化水素溶媒を含む第１の溶液、ならびにアミノ官能基およびアルコキシ官能基を有するポリジメチルシロキサン、およびヘキサン、ヘプタン、イソプロピルアルコールおよびそれらの混合物からなる群から選択される溶媒を含む第２の溶液を含む、請求項１に記載の外科用ステープル留めデバイス。
【請求項９】
前記ポリジアルキルシロキサンとシリコーン化物質とが、約５：０．２５の比で調製される、請求項１に記載の外科用ステープル留めデバイス。
【請求項１０】
前記ポリジアルキルシロキサンとシリコーン化物質とが、約２．５：０．５の比で調製される、請求項１に記載の外科用ステープル留めデバイス。
【請求項１１】
前記ポリジアルキルシロキサンとシリコーン化物質とが、約２：０．７５の比で調製される、請求項１に記載の外科用ステープル留めデバイス。
【請求項１２】
前記ポリジアルキルシロキサンが前記第１の溶液中に約３５ｇ／ｌ〜約４５ｇ／ｌの濃度で存在し、そして前記シリコーン化物質が前記第１の溶液中に約２０ｇ／ｌ〜約４０ｇ／ｌの濃度で存在する、請求項１に記載の外科用ステープル留めデバイス。
【請求項１３】
前記コーティング混合物が、前記第１の溶液と前記第２の溶液とを、約１２：１〜約１：１２の比で含む、請求項１に記載の外科用ステープル留めデバイス。
【請求項１４】
前記コーティング混合物が、前記第１の溶液と前記第２の溶液とを、約６：１〜約１：６の比で含む、請求項１に記載の外科用ステープル留めデバイス。
【請求項１５】
前記コーティング混合物が、前記第１の溶液と前記第２の溶液とを、約２：１〜約１：２の比で含む、請求項１に記載の外科用ステープル留めデバイス。
【請求項１６】
環状吻合を実施するための外科用ステープル留めデバイスであって：
発射トリガーを含むハンドルアセンブリ；
該ハンドルアセンブリから遠位方向に延びる本体部分；
アンビルアセンブリおよびシェルアセンブリを含むヘッド部分であって、該アンビルアセンブリは切断リングを含み、かつ該シェルアセンブリに対して間隔を置いた位置と接近された位置との間で移動可能であり、該シェルアセンブリは：該アンビルアセンブリに対して退却された位置と延びた位置との間で移動可能なプッシャーであって、ステープルを排出するように構成されたプッシャー；および組織切断端部および表面を備える環状のナイフを備え、該ナイフは、発射に際し、該切断リングを係合し、かつその中に切り込むように構成され、該表面の一部および該組織切断端部はそれら上にコーティングを有し、該ナイフが該切断リングに固着することを防ぎ、該コーティングは、少なくとも１つのポリジアルキルシロキサン、少なくとも１つのシリコーン化物質、および少なくとも１つの有機溶媒を含むコーティング混合物から形成され、ここで、
該ポリジアルキルシロキサンとシリコーン化物質とは約５：０．２５〜約２：０．７５の比で調製され、そして該ポリジアルキルシロキサンは、少なくとも約１０，０００ｃｐの該コーティング混合物の粘度を提供するに十分な分子量を有する、外科用ステープル留めデバイス。
【請求項１７】
前記シリコーン化物質が、アミノ官能基およびアルコキシ官能基を有するポリジメチルシロキサンを含み、そして前記溶媒が、約５〜約１０の炭素原子の炭化水素溶媒、ヒドロフルオロエーテル、およびアルコールのうちの少なくとも１つである、請求項１６に記載の外科用ステープル留めデバイス。
【請求項１８】
前記コーティング混合物がさらに、前記ポリジアルキルシロキサンおよび第１の有機溶媒を含む第１の溶液、および前記シリコーン化物質および第２の有機溶媒を含む第２の溶液を含む、請求項１６に記載の外科用ステープル留めデバイス。
【請求項１９】
前記第１の溶液が、ポリジメチルシロキサンを含み、そして前記第１の溶媒が、約５〜約１０の炭素原子の炭化水素溶媒およびヒドロフルオロエーテルの少なくとも１つである、請求項１８に記載の外科用ステープル留めデバイス。
【請求項２０】
前記第１の溶液が、ポリジメチルシロキサンを含み、そして前記第１の溶媒が、ヘキサンおよびヘプタンからなる群から選択される、請求項１８に記載の外科用ステープル留めデバイス。
【請求項２１】
前記第２の溶液が、アミノアルキルシロキサンおよび該アミノアルキルシロキサンと共重合可能な少なくとも１つのその他のシロキサンを含み、そして前記第２の溶媒が、約５〜約１０の炭素原子の炭化水素溶媒、ヒドロフルオロエーテル、およびアルコールの少なくとも１つである、請求項１８に記載の外科用ステープル留めデバイス。
【請求項２２】
前記第２の溶液が、アミノ官能基およびアルコキシ官能基を有するポリジメチルシロキサンを含み、そして前記第２の溶媒が、約５〜約１０の炭素原子の炭化水素溶媒、ヒドロフルオロエーテル、およびアルコールの少なくとも１つである、請求項１８に記載の外科用ステープル留めデバイス。
【請求項２３】
前記第２の溶液が、アミノ官能基およびアルコキシ官能基を有するポリジメチルシロキサンを含み、そして前記第２の溶媒が、ヘキサン、ヘプタン、イソプロピルアルコールおよびそれらの混合物からなる群から選択される、請求項１８に記載の外科用ステープル留めデバイス。
【請求項２４】
前記コーティング混合物がさらに、ポリジメチルシロキサン、およびヘキサンおよびヘプタンからなる群から選択される炭化水素溶媒を含む第１の溶液、ならびにアミノ官能基およびアルコキシ官能基を有するポリジメチルシロキサン、およびヘキサン、ヘプタン、イソプロピルアルコールおよびそれらの混合物からなる群から選択される溶媒を含む第２の溶液を含む、請求項１６に記載の外科用ステープル留めデバイス。